(57)【要約】【課題】廃液中和システムについて必要中和用薬液量を自動的に設定できるようにする。【解決手段】廃液中和システムは、中和槽１に貯留の廃液に、制御装置１０による制御の下で、中和用薬液を注入して廃液の中和を行うようになっており、中和槽の廃液の量を計測する廃液量検出器７が設けられるとともに、中和槽の廃液のｐＨを計測するｐＨ検出器８が設けられ、制御装置には、廃液の量とｐＨから中和槽の廃液の中和に必要な中和用薬液量を算出する必要中和用薬液量演算部１７を設けられ、そして必要中和用薬液量演算部で求めた必要中和用薬液量に基づいて制御装置が中和用薬液の中和槽への注入を制御する。【選択図】図１
2006084386.tif 000002
【特許請求の範囲】
【請求項１】
中和槽に貯留の廃液に、制御装置による制御の下で、中和用薬液を注入して前記廃液の中和を行うようにされている廃液中和システムにおいて、
前記中和槽の廃液量を計測する廃液量検出器を備えるとともに、前記中和槽の廃液のｐＨを計測するｐＨ検出器を備え、前記制御装置には、前記廃液量検出器で計測された廃液量と前記ｐＨ検出器で計測した廃液のｐＨから前記中和槽の廃液の中和に必要な中和用薬液量を算出する必要中和用薬液量演算部が設けられ、そして前記制御装置は、前記必要中和用薬液量演算部で求めた必要中和用薬液量に基づいて前記中和用薬液の前記中和槽への注入を制御するようにされていることを特徴とする廃液中和システム。
【請求項２】
中和槽に貯留の廃液に薬液注入配管により中和用薬液を注入して前記廃液の中和を行うようにされ、前記薬液注入配管による中和用薬液の注入は、流量検出装置で計量した前記薬液注入配管における前記中和用薬液の流量に基づいた制御装置による制御の下でなされるようにされ、前記流量検出装置は、前記薬液注入配管の途中に設けられているオリフィスの上流側と下流側のそれぞれに接続された計装配管を備えている廃液中和システムにおいて、
前記流量検出装置には、ドレン槽が設けられるとともに、前記計装配管に接続されたオーバフロー配管が設けられ、前記計装配管に封入される封入液を前記薬液注入配管に流れる液体の種類に応じて置換する際に前記計装配管から排出される封入液を前記ドレン槽で受けることができるようにされるとともに、前記封入液の置換のために前記計装配管に封入用の液体を液張りする際に前記計装配管から前記オーバフロー配管でオーバフローさせた液体を前記ドレン槽で受けることができるようにされていることを特徴とする廃液中和システム。
【請求項３】
前記計装配管から前記封入液を排出させる際に前記計装配管に空気を供給する封入液排出促進空気供給系が設けられている請求項２に記載の廃液中和システム。
【請求項４】
前記計装配管から前記封入液を排出させ後に前記計装配管に洗浄水を注入して洗浄を行う計装配管洗浄系が設けられている請求項２または請求項３に記載の廃液中和システム。
【請求項５】
前記計装配管洗浄系による洗浄後に前記計装配管に洗浄水除去用空気を供給する洗浄水除去空気供給系が設けられている請求項４に記載の廃液中和システム。
【発明の詳細な説明】
【技術分野】
【０００１】
本発明は、核燃料の再処理プラントなどで排出される廃液の中和システムに関する。
【背景技術】
【０００２】
再処理プラントでは、核燃料の再処理にともなって酸性またはアルカリ性である廃液が発生する。この廃液については中和処理が必要である。そのため、再処理プラントには廃液中和システムが設けられている。従来における廃液中和システムの一般的な構成を図１０に模式化して示す。廃液中和システムは、中和対象の廃液に中和用薬液を混合させて中和処理を行うための中和槽１０１を備えている。中和槽１０１には廃液注入配管１０２で中和対象の廃液が注入して貯留される。中和槽１０１への廃液の貯留を終えたら中和用薬液を注入する。
【０００３】
中和用薬液には廃液がアルカリ性の場合に用いる酸性中和用薬液と廃液が酸性の場合に用いるアルカリ性中和用薬液がある。酸性中和用薬液は酸性中和用薬液槽１０３ａに貯留され、アルカリ性中和用薬液はアルカリ性中和用薬液槽１０３ｃに貯留されている。酸性中和用薬液槽１０３ａは薬液供給弁１０４ａを介して薬液注入配管１０５に接続され、アルカリ性中和用薬液槽１０３ｃは薬液供給弁１０４ｃを介して薬液注入配管１０５に接続されている。そして中和槽１０１に注入された廃液がアルカリ性であるのか酸性であるのかに応じて、薬液供給弁１０４ａまたは薬液供給弁１０４ｃを開いて薬液注入配管１０５で酸性中和用薬液またはアルカリ性中和用薬液を中和槽１０１に注入する。中和用薬液の注入量は薬液注入配管１０５の途中に設けられている流量検出器１０６で計量される。
【０００４】
中和用薬液の注入は、廃液のｐＨと量に応じた量でなされる。中和槽１０１における廃液の量は廃液量検出器１０７で計測される。廃液のｐＨと量に応じた量の中和用薬液の注入は制御装置１１０による制御の下でなされる。制御装置１１０には、注入量設定部１１１、注入量積算部１１２、注入量判定部１１３、密度補正部１１４および廃液量表示部１１５が設けられている。注入量設定部１１１では、中和槽１０１における廃液の量（これは廃液量検出器１０７で計測されて廃液量表示部１１５に表示される）とｐＨに応じた必要中和用薬液量が設定される。注入量積算部１１２は、流量検出器１０６により計量される中和用薬液の注入量を経時的に積算する。注入量判定部１１３は、注入量積算部１１２で求められる積算注入量を注入量設定部１１１に設定の必要中和用薬液量と比較し、積算注入量が必要中和用薬液量に達しているか否かを判定する。積算注入量が必要中和用薬液量に達していると注入量判定部１１３で判定された場合には弁閉信号が薬液供給弁１０４ａまたは薬液供給弁１０４ｃに出力され、中和用薬液の注入が停止される。
【０００５】
中和用薬液の注入が停止されたら中和槽１０１のｐＨを測定し、それが指定値（通常は７）になっていれば中和完了となり、中和槽１０１から中和済み廃液を排出する。一方、測定したｐＨが指定値となっていなかった場合には上記のような中和用薬液の注入を再度行う。
【０００６】
中和槽１０１から中和済み廃液を排出したら、薬液注入配管１０５と中和槽１０１を洗浄し、それから新たな中和対象廃液を中和槽１０１に注入して上記のような中和処理を繰り返す。薬液注入配管１０５と中和槽１０１の洗浄には、洗浄水槽１０３ｂに貯留されている洗浄水を用いる。すなわち、洗浄水槽１０３ｂは洗浄水供給弁１０４ｂを介して薬液注入配管１０５に接続されており、洗浄水供給弁１０４ｂを開くことにより、洗浄水槽１０３ｂから洗浄水が注入され、この洗浄水により薬液注入配管１０５と中和槽１０１の洗浄がなされる。この洗浄では一定量の洗浄水が洗浄水槽１０３ｂから注入される。洗浄水の一定注入量は設定部１１１で設定される。そして流量検出器１０６による計量から注入量積算部１１２が積算注入量を求め、それを注入量設定部１１１に設定の必要洗浄水量と注入量判定部１１３で比較し、積算注入量が必要洗浄水量に達したら弁閉信号が洗浄水供給弁１０４ｂに出力し、洗浄水の注入を停止する。
【０００７】
流量検出器１０６には、オリフィス式が用いられるのが一般的である。オリフィス式の流量検出器１０６は、図１１に示すような構成を有している。すなわち流量検出器１０６は、薬液注入配管１０５の途中に設けられているオリフィス１２１の上流側と下流側のそれぞれに接続された計装配管（計装導圧配管）１２２（１２２ａ、１２２ｂ）と差圧検出器１２３を備えている。計装配管１２２には、液体が封入されており、その封入液にオリフィス１２１の上流側と下流側それぞれにおける圧力が伝わる。この計装配管１２２ａの圧力と計装配管１２２ｂの圧力の差は差圧検出器１２３で検出され、その検出した差圧に基づいて薬液注入配管１０５における中和用薬液の流量が求められる。
【０００８】
オリフィス式の流量検出器は、例えば軽水炉型の原子炉などで広く使用されているが、その封入液に通常の水を用いるのが一般的である。しかし廃液中和システムでは、水よりも密度の大きい中和用薬液が薬液注入配管１０５を流れため、封入液として水を用いると、その水より密度の大きい中和用薬液が計装配管１２２に入り込んで封入液と自然に置換する現象を生じる。この自然置換は、オリフィス１２１の上流側と下流側それぞれにおける圧力に応じて生じる。すなわち封入液の置換の割合が計装配管１２２ａと計装配管１２２ｂで異なることになる。このような割合の異なる封入液の置換を生じると流量の計測精度を低下させてしまう。
【０００９】
そこで、廃液中和システムでは、中和槽１０１に注入する中和用薬液と洗浄水を計装配管１２２の封入液に用いるようにしている。この場合、注入液体の種類が変わるごとに封入液を置換する必要がある。この置換は、計装配管１２２に封入されている液体が中和用薬液である場合、まずその封入液を排出させ、それから洗浄水で計装配管１２２を洗浄した後に、薬液注入配管１０５から中和用薬液や洗浄水を計装配管１２２に導入することで行う。そのために封入計装配管１２２ａには液導入弁１２４ａ、ドレン弁１２５ａおよび計器元弁１２６ａが設けられ、計装配管１２２ｂには液導入弁１２４ｂ、ドレン弁１２５ｂおよび計器元弁１２６ｂが設けられている。また封入液置換時に計装配管１２２ａと計装配管１２２ｂの圧力を均等にするための均圧弁１２７が設けられている。また計装配管１２２の封入液の置換をなす場合には、その都度封入液の種類が異なることから、流量検出器１０６からの出力に封入液の密度に応じた補正値を乗算して補正する必要がある。そのために設けられているのが制御装置１１０の密度補正部１１４である。
【発明の開示】
【発明が解決しようとする課題】
【００１０】
上記のような従来の廃液中和システムにあっては、廃液のｐＨを人手で計測し、注入量設定部に設定する必要中和用薬液量を手計算で求めていた。すなわち人手で測定した廃液のｐＨと廃液量検出器で計測されて廃液量表示部に表示される中和槽の廃液量から必要中和用薬液量を手計算で求め、これを注入量設定部に設定するようになっていた。このように必要中和用薬液量を手計算で求めることには、計算ミスの発生という問題がある。必要中和用薬液量の算出で計算ミスがあると、その中和処理で中和が適切になされず、再度中和処理を繰り返す必要を生じる。この再度の中和処理が中和用薬液注入量の過剰に起因してなされる場合には、再度の中和処理において中和用薬液の種類を変える必要があることから、計装配管の封入液の置換も必要となる。このために徒に中和処理の作業量を増やす結果になる。
【００１１】
また上記のような従来の廃液中和システムにあっては、計装配管の封入液の置換を手動で行うようになっていた。すなわち封入液の置換に際しては、それまでの封入液を計装配管から排出させる必要があり、また計装配管に新たな封入液を導入するには、計装配管から封入液をオーバフローさせる状態にする必要があるが、排出封入液やオーバフロー封入液を作業員が適当な容器で受けるなどして処理するようになっていた。このような人手による作業は、火傷などのおそれのある中和用薬液に作業員が触れる可能性を残し、好ましいものでない。
【００１２】
本発明は、以上のような事情を背景になされたものであり、人手によらずに必要中和用薬液量を設定することのできる廃液中和システムの提供を一つの目的とし、またオリフィス式流量検出器における計装配管の封入液の置換を、中和用薬液との接触の可能性を伴うような人手による作業の介在なしに行うことを可能とする廃液中和システムの提供を他の目的としている。
【課題を解決するための手段】
【００１３】
上記一つの目的のために本発明では、中和槽に貯留の廃液に、制御装置による制御の下で、中和用薬液を注入して前記廃液の中和を行うようにされている廃液中和システムにおいて、前記中和槽の廃液量を計測する廃液量検出器を備えるとともに、前記中和槽の廃液のｐＨを計測するｐＨ検出器を備え、前記制御装置には、前記廃液量検出器で計測された廃液量と前記ｐＨ検出器で計測した廃液のｐＨから前記中和槽の廃液の中和に必要な中和用薬液量を算出する必要中和用薬液量演算部が設けられ、そして前記制御装置は、前記必要中和用薬液量演算部で求めた必要中和用薬液量に基づいて前記中和用薬液の前記中和槽への注入を制御するようにされていることを特徴としている。
【００１４】
また上記他の目的のために本発明では、中和槽に貯留の廃液に薬液注入配管により中和用薬液を注入して前記廃液の中和を行うようにされ、前記薬液注入配管による中和用薬液の注入は、流量検出装置で計量した前記薬液注入配管における前記中和用薬液の流量に基づいた制御装置による制御の下でなされるようにされ、前記流量検出装置は、前記薬液注入配管の途中に設けられているオリフィスの上流側と下流側のそれぞれに接続された計装配管を備えている廃液中和システムにおいて、前記流量検出装置には、ドレン槽が設けられるとともに、前記計装配管に接続されたオーバフロー配管が設けられ、前記計装配管に封入される封入液を前記薬液注入配管に流れる液体の種類に応じて置換する際に前記計装配管から排出される封入液を前記ドレン槽で受けることができるようにされるとともに、前記封入液の置換のために前記計装配管に封入用の液体を液張りする際に前記計装配管から前記オーバフロー配管でオーバフローさせた液体を前記ドレン槽で受けることができるようにされていることを特徴としている。
【００１５】
また本発明では、上記のような廃液中和システムについて、前記計装配管から前記封入液を排出させる際に前記計装配管に空気を供給する封入液排出促進空気供給系を設けるものとしている。
【００１６】
また本発明では、上記のような廃液中和システムについて、前記計装配管から前記封入液を排出させ後に前記計装配管に洗浄水を注入して洗浄を行う計装配管洗浄系を設けるものとしている。
【００１７】
また本発明では、上記のような廃液中和システムについて、前記計装配管洗浄系による洗浄後に前記計装配管に洗浄水除去用空気を供給する洗浄水除去空気供給系を設けるものとしている。
【発明の効果】
【００１８】
本発明では、必要中和用薬液量演算部を設け、この必要中和用薬液量演算部により自動的に求めた必要中和用薬液量を自動的に中和用薬液の中和槽への注入を制御するようにしている。このため本発明によれば、人手による場合の計算ミスといった問題を避けることができ、中和処理をより効率的に行えるようになる
【００１９】
また本発明では、流量検出装置にドレン受槽とオーバフロー配管を設け、ドレン受槽による排出封入液の回収、それにオーバフロー配管による封入用の液体のオーバフローとそのオーバフロー液体のドレン受槽による回収を行えるようにしている。このため本発明によれば、封入液の置換処理を自動化することができ、中和用薬液との接触の可能性を伴うような人手による作業の介在なしに封入液の置換を行えるようになる。
【発明を実施するための最良の形態】
【００２０】
以下、本発明を実施する上で好ましい形態について説明する。図１に一実施形態による廃液中和システムの構成を模式化して示す。この廃液中和システムは、中和槽１、廃液注入配管２、酸性中和用薬液槽３ａ、洗浄水槽３ｂ、アルカリ性中和用薬液槽３ｃ、薬液供給弁４ａ、洗浄水供給弁４ｂ、薬液供給弁４ｃ、薬液注入配管５、流量検出装置６、廃液量検出器７、ｐＨ検出器８および制御装置１０を備え、その制御装置１０には注入量設定部１１、注入量積算部１２、注入量判定部１３、密度補正部１４、液種判定部１６および必要中和用薬液量演算部１７が設けられている。これらの要素の内、中和槽１、廃液注入配管２、酸性中和用薬液槽３ａ、アルカリ性中和用薬液槽３ｃ、洗浄水槽３ｂ、薬液供給弁４ａ、洗浄水供給弁４ｂ、薬液供給弁４ｃ、薬液注入配管５、廃液量検出器７、それに制御装置１０における注入量設定部１１、注入量積算部１２、注入量判定部１３、密度補正部１４は、上で説明した従来の廃液中和システムにおける対応要素と同様であるのでそれらの構成や機能については上での説明を援用する。以下では主に、本実施形態における特徴的な構成について説明する。
【００２１】
まず中和用薬液の注入制御について説明する。図２に中和用薬液の注入制御における制御回路の構成と制御処理の流れを示す。中和槽１に廃液が満たされたら中和開始スイッチ３１（これは制御装置１０などに設けられるが図１では図示を省略してある）を操作して中和処理を開始する。中和処理では、まず液種判定部１６により中和槽１における廃液の液種、つまり酸性中和用薬液で中和すべき廃液であるかアルカリ性中和用薬液で中和すべき廃液であるのかの判定がなされる。
【００２２】
液種判定部１６は、中和ｐＨ設定部３２、加算手段３３、判定部３４を備えている。中和ｐＨ設定部３２では中和処理後の廃液のｐＨ値が設定される。加算手段３３は、中和ｐＨ設定部３２に設定のｐＨ値からｐＨ検出器８で検出の中和槽１における廃液のｐＨ値を減算する。判定部３４は、加算手段３３による計算結果がマイナス値であるかプラス値であるかを判定し、その結果に応じた中和用薬液の選択を出力する。具体的にいうと、マイナス値であった場合には酸性中和用薬液の選択が出力され、この選択信号を受けて酸性中和用薬液槽３ａの薬液供給弁４ａが開となり、酸性中和用薬液の注入が開始される。一方、プラス値であった場合にはアルカリ性中和用薬液の選択が出力され、この選択信号を受けてアルカリ性中和用薬液槽３ｃの薬液供給弁４ｃが開となり、アルカリ性中和用薬液の注入が開始される。
【００２３】
判定部３４からの中和用薬液選択信号は、密度補正部１４にも出力される。中和用薬液選択信号を受けた密度補正部１４は、その信号に応じて密度補正値を選択する。密度補正値には酸性中和用薬液用、アルカリ性中和用薬液用および洗浄水用が用意されている。中和処理時には酸性中和用薬液用とアルカリ性中和用薬液用のいずれかが用いられ、洗浄水用は洗浄の際に用いられる。
【００２４】
中和用薬液の注入は、注入量設定部１１に設定の必要中和用薬液量になるまで続けられる。注入量設定部１１に設定する必要中和用薬液量は必要中和用薬液量演算部１７で求める。必要中和用薬液量演算部１７は、廃液量検出器７が検出する廃液量値ＶとｐＨ検出器８が検出する廃液のｐＨ値（ｐＨ）および中和ｐＨ設定部３２に設定の中和時ｐＨ値（７）から設定値ＱＳＥＴ０をＱＳＥＴ０＝Ｋ（ｐＨ−７）×Ｖとして算出し、これを必要中和用薬液量ＱＳＥＴとして注入量設定部１１に設定する。ここで、Ｋは、中和対象廃液のｐＨ値と中和時ｐＨ値の差に応じた補正係数である。
【００２５】
中和用薬液の注入が開始されると、薬液注入配管５を流れる中和用薬液の流量が流量検出装置６で計量され、その計量値を注入量積算部１２で積算し、積算流量が必要中和用薬液量になれば弁閉信号が出力され中和用薬液の注入が停止される。注入量積算部１２に入力する流量値は、流量検出装置６から出力される計量流量値に中和用薬液の種類に応じた密度補正を施した値である。すなわち流量検出装置６から出力される計量流量値Ｆに密度補正部１４からの密度補正値Ｄを乗算器１４ｍで乗算して補正流量値ＦＲをＦＲ＝Ｆ×Ｄとして求め、この補正流量値ＦＲが注入量積算部１２に入力する。注入量積算部１２は、補正流量値ＦＲから中和用薬液の注入量ＱをＱ＝∫ＦＲｄｔとして積算する。この注入量Ｑは注入量判定部１３に提供される。注入量判定部１３は、加算手段３５と判定部３６を備えており、加算手段３５で注入量Ｑと必要中和用薬液量ＱＳＥＴの差分をとり、その結果を判定部３６で判定し、差分が０となったら注入停止を出力する。注入停止となると、中和用薬液注入時に開いていた薬液供給弁４ａまたは薬液供給弁４ｃに弁閉指令が出力し、その弁が閉じる。中和用薬液の注入が停止されたら、その時点での中和槽１における廃液のｐＨ値が中和ｐＨ設定部３２に設定のｐＨ値になっていることを確認して中和完了とし、中和槽１０１から中和済み廃液を排出する。もし中和完了となっていなかった場合には、上記のような処理を再度行う。
【００２６】
中和完了となって中和槽１から中和済み廃液を排出したら洗浄水を注入して洗浄を行う。洗浄水の注入制御における制御回路の構成と制御処理の流れを図３に示す。なお図３は図２と対になっている。洗浄は薬液供給弁４ａ、洗浄水供給弁４ｂおよび薬液供給弁４ｃのいずれもが閉じた状態であることを確認して開始される。もしいずれかの弁が開いていれば、その弁を閉じてから洗浄を開始する。洗浄は洗浄水供給弁４ｂに開指令を出して開始される。洗浄が開始されると、薬液注入配管５を流れる洗浄水の流量が流量検出装置６で計量され、その計量値を注入量積算部１２で積算し、積算流量が必要洗浄水量に達したら弁閉信号が洗浄水供給弁４ｂに出力され、洗浄水の注入が停止される。注入量積算部１２に入力する流量値は、流量検出装置６から出力される計量流量値に水用の密度補正を施した値である。すなわち流量検出装置６から出力される計量流量値Ｆに密度補正部１４からの水の密度補正値Ｄを乗算器１４ｍで乗算して補正流量値ＦＲをＦＲ＝Ｆ×Ｄとして求め、この補正流量値ＦＲが注入量積算部１２に入力する。注入量積算部１２は、補正流量値ＦＲから中和用薬液の注入量ＱをＱ＝∫ＦＲｄｔとして積算する。この注入量Ｑは注入量判定部１３に提供される。注入量判定部１３は、注入量Ｑと必要洗浄水量ＱＳＥＴ（これは予め定められた固定値として注入量設定部１１に設定される）の差分をとり、それが０となったら注入停止を出力する。注入停止となると、洗浄水供給弁４ｂに弁閉指令が出力して洗浄水供給弁４ｂが閉じ、洗浄完了となる。
【００２７】
以上のように、必要中和用薬液量演算部１７を設け、この必要中和用薬液量演算部１７により必要中和用薬液量を自動的に求めるようにしたことにより、人手による場合の計算ミスといった問題を避けることができ、中和処理をより効率的に行えるようになる。また液種判定部１６を設け、この液種判定部１６によりｐＨ検出器８で検出の廃液のｐＨから自動的に中和槽１に貯留の廃液の種類を判定し、その判定に基づいて注入中和用薬液の選択と流量計量における密度補正値の選択を自動的に行えるようにしたことにより、注入中和用薬液の選択や密度補正値の選択にミスを生じることがなく、より安定的に中和処理を行えるようになる。
【００２８】
次に、流量検出装置６について説明する。図４に流量検出装置６の構成を示す。流量検出装置６は、図１０における流量検出器１０６と同様なオリフィス式であり、薬液注入配管５の途中に設けられているオリフィス４１の上流側と下流側のそれぞれに接続された計装配管４２（４２ａ、４２ｂ）と差圧検出器４３を備えている。計装配管４２には、薬液注入配管５に流す液体と同じ液体が封入される。すなわち薬液注入配管５に流す液体の種類が変わるごとに計装配管４２の封入液を置換する。封入液の置換は、計装配管４２から封入液の排出、計装配管４２の洗浄（これは封入液が中和用薬液であった場合に行う）、計装配管４２への封入液の導入（液張り）という処理を順に進めて行われることになるが、これらの処理を自動的に行えるようにする。封入液の自動置換をなすために設けられる主な要素は、弁制御部４４、ドレン受槽４５、オーバフロー配管４６および洗浄水／空気供給系４７であり、洗浄水／空気供給系４７には洗浄水除去空気供給系４７ａ、計装配管洗浄系４７ｂ、および封入液排出促進空気供給系４７ｃが設けられている。なお弁制御部４４は、制御装置１０に設けられるのが通常である。
【００２９】
弁制御部４４は、流量検出装置６の動作に必要な弁の開閉制御と封入液の置換に際してなされる封入液の排出、計装配管の洗浄、液張りという各処理に必要な弁の開閉制御を行う。弁制御部４４が制御対象とする弁は何れも自動弁であり、その自動弁には、計装配管４２に設けられるものとして、液導入弁４８（４８ａ、４８ｂ）、ドレン弁４９（４９ａ、４９ｂ）、計器元弁５０（５０ａ、５０ｂ）および均圧弁５１があり、オーバフロー配管４６に設けられるものとして、オーバフロー弁５２（５２ａ、５２ｂ）、第１の補助弁５３および第２の補助弁５４があり、洗浄水／空気供給系４７に設けられるものとして、洗浄水除去空気供給弁５５ａ、計装配管洗浄水供給弁５５ｂおよび封入液排出促進空気供給弁５５ｃがある。
【００３０】
ドレン受槽４５は、計装配管４２から排出される封入液を受けて回収し、また後述のようにしてオーバフロー配管４６にオーバフローさせた封入用の液体の回収も行う。オーバフロー配管４６は、差圧検出器４３よりも下流側で計装配管４２に接続されており、計装配管４２への液張りに際して計装配管４２から封入用の液体をオーバフローさせることができるようにされている。こうしたドレン受槽４５による排出封入液の回収、それにオーバフロー配管４６による封入用の液体のオーバフローとそのオーバフロー液体のドレン受槽４５による回収という構成としたことにより、封入液の置換処理を自動化することができ、中和用薬液との接触の可能性を伴うような人手による作業の介在なしに封入液の置換を行えるようになる。
【００３１】
図５〜図８に流量検出装置６における各弁の開閉状態を示す。図中で黒く塗りつぶしてあるのが閉状態の弁である。また図９に封入液の置換処理における各弁の開閉シーケンスをまとめて示す。図５は、中和処理あるいは中和槽１と薬液注入配管５の洗浄を行っている状態での流量検出装置６における各弁の開閉状態である。この状態では液導入弁４８、計器元弁５０、第１の補助弁５３および第２の補助弁５４が開いており、その他の弁は全て閉じている。
【００３２】
図６は、封入液の置換処理として計装配管４２から封入液の排出処理を行っている状態での流量検出装置６における各弁の開閉状態である。この状態では液導入弁４８、浄水除去空気供給弁５５ａおよび計装配管洗浄水供給弁５５ｂが閉じており、その他の弁は全て開いている。封入液の排出処理では、封入液排出促進空気供給弁５５ｃを開いて常圧の空気を計装配管４２やオーバフロー配管４６に供給しながら封入液の排出を行う。このようにすることで封入液の排出処理をより迅速に行えるようになる。
【００３３】
図７は、封入液の置換処理として計装配管４２の洗浄を行っている状態での流量検出装置６における各弁の開閉状態である。この状態では液導入弁４８、浄水除去空気供給弁５５ａ、封入液排出促進空気供給弁５５ｃおよび第２の補助弁５４が閉じており、その他の弁は全て開いている。計装配管４２の洗浄は、計装配管洗浄水供給弁５５ｂを開いて洗浄水を計装配管４２に注入することで行う。計装配管４２の洗浄を経た排水はドレン受槽４５で受けて回収される。この洗浄に続いては、浄水除去空気供給弁５５ａを開いて計装配管４２に高圧空気を注入することで、計装配管４２の内部に付着している洗浄水の除去を行う。浄水除去空気供給弁５５ａから供給する高圧空気は、加圧ポンプ５６で生成される。こうした洗浄水の除去処理を行うことで、封入液に洗浄水が混じりこむのを防止することができ、封入液の純度を高めることができる。
【００３４】
図８は、封入液の置換処理として計装配管４２に液張りを行っている状態での流量検出装置６における各弁の開閉状態である。この状態ではドレン弁４９、浄水除去空気供給弁５５ａ、封入液排出促進空気供給弁５５ｃおよび計装配管洗浄水供給弁５５ｂが閉じており、その他の弁は全て開いている。
【産業上の利用可能性】
【００３５】
本発明は、廃液の中和処理をより効率的に行えるようにするなどの効果を有し、核燃料の再処理プラントなどで排出される廃液の中和処理の分野に広く適用することができる。
【図面の簡単な説明】
【００３６】
【図１】一実施形態による中和システムの構成を模式化して示す図である。
【図２】中和用薬液の注入制御における制御回路の構成と制御処理の流れを示す図である。
【図３】洗浄水の注入制御における制御回路の構成と制御処理の流れを示す図である。
【図４】流量検出装置の構成を模式化して示す図である。
【図５】中和処理あるいは中和槽と薬液注入配管の洗浄を行っている状態での流量検出装置における各弁の開閉状態を示す図である。
【図６】封入液の置換処理として計装配管から封入液の排出処理を行っている状態での流量検出装置における各弁の開閉状態を示す図である。
【図７】封入液の置換処理として計装配管の洗浄を行っている状態での流量検出装置における各弁の開閉状態を示す図である。
【図８】封入液の置換処理として計装配管に液張りを行っている状態での流量検出装置における各弁の開閉状態を示す図である。
【図９】置換処理における各弁の開閉シーケンスを示す図である。
【図１０】従来の中和システムの構成を模式化して示す図である。
【図１１】従来の中和システムにおける流量検出器の構成を模式化して示す図である。
【符号の説明】
【００３７】
１    中和槽
５    薬液注入配管
６    流量検出装置
７    廃液量検出器
８    ｐＨ検出器
１０    制御装置
１７    必要中和用薬液量演算部
４１    オリフィス
４５    ドレン槽
４６    オーバフロー配管
４７ａ    封入液排出促進空気供給系
４７ｂ    計装配管洗浄系
４７ｃ    洗浄水除去空気供給系
４８    計装配管
【図１】
2006084386.tif 000003
【図２】
2006084386.tif 000004
【図３】
2006084386.tif 000005
【図４】
2006084386.tif 000006
【図５】
2006084386.tif 000007
【図６】
2006084386.tif 000008
【図７】
2006084386.tif 000009
【図８】
2006084386.tif 000010
【図９】
2006084386.tif 000011
【図１０】
2006084386.tif 000012
【図１１】
2006084386.tif 000013